(57)【特許請求の範囲】
【請求項１】
タグ本体(10)に対し、ワイヤー(２)の基端部(21)を固定すると共に、該ワイヤー(２)の先端部(23)をロック及びロック解除可能に連結してなるタグ装置において、前記ワイヤー(２)の先端部(23)にはロックピン(22)が取り付けられ、該ロックピン(22)は、細軸部(25)の先端部に太軸部(26)を具え、タグ本体(10)は、前記ロックピン(22)が通過可能なピン挿入孔(13)を有するケース(１)と、ケース(１)の内部に配備されて前記ピン挿入孔(13)から挿入されたロックピン(22)と係合すべきラッチ部材(３)とを具え、ラッチ部材(３)は、ケース(１)の内部にロックピン(22)の挿入方向とは直交する方向に往復移動可能に支持された本体(31)と、該本体(31)に突設されてロックピン(22)の挿入方向に対して交差する方向に弾性変位可能なバネ片(32)とを具え、ラッチ部材(３)は、一方の移動端にてバネ片(32)が挿入位置のロックピン(22)の細軸部(25)に対向して太軸部(26)の抜け方向の移動を阻止し、他方の移動端にてバネ片(32)が挿入位置のロックピン(22)の細軸部(25)から離間して太軸部(26)の抜け方向の移動を許容することを特徴とするタグ装置。
【請求項２】
ロックピン(22)の太軸部(26)の先端部には、ロックピン(22)の侵入に伴ってラッチ部材(３)のバネ片(32)を押圧して弾性変位させるためのテーパ面(27)が形成されている請求項１に記載のタグ装置。
【請求項３】
タグ本体(10)には、ロッド(51)の吸引／開放動作によってラッチ部材(３)を往復駆動するためのソレノイド(５)と、該ソレノイド(５)の動作を制御する制御回路とが内蔵されている請求項１又は請求項２に記載のタグ装置。
【請求項４】
ソレノイド(５)は、ラッチ部材(３)をロックピン(22)に対するロック位置に移動させたロック動作状態を無通電で保持するものである請求項１乃至請求項３の何れかに記載のタグ装置。
【請求項５】
ソレノイド(５)は、ロッド(51)を前記ロック動作状態からロック解除動作状態へ向けて付勢するばね(53)を具えている請求項４に記載のタグ装置。
【請求項６】
タグ本体(10)には、ラッチ部材(３)がロックピン(22)をロックしたロック位置からロックピン(22)のロックを解除したロック解除位置へ移動したことを検知するためのスイッチ(６)が配備され、前記制御回路は、スイッチ(６)の検知信号に基づいてロック解除動作状態を検知したとき、ソレノイド(５)にロック動作を指令する請求項４又は請求項５に記載のタグ装置。
【請求項７】
前記制御回路は、ロック解除信号の受信に応じて、一定時間だけソレノイド(５)をロック解除動作状態に保持する請求項３乃至請求項６の何れかに記載のタグ装置。
【請求項８】
タグ本体(10)にはブザー(８)が内蔵され、前記制御回路は、ロックピン(22)がラッチ部材(３)によってロックされた状態で、警報作動信号を受信したとき、又はワイヤー(２)が切断されたことを検知したとき、ブザー(８)に対して鳴動指令を発する請求項３乃至請求項７の何れかに記載のタグ装置。
【請求項９】
タグ本体(10)には、ロックピン(22)がラッチ部材(３)によってロックされた状態で、該ロックピン(22)の太軸部(26)を挟持する金属製のコネクターピン(９)が配備されており、該コネクターピン(９)は、プルアップされた信号線を介して前記制御回路に繋がると共に、ワイヤー(２)の基端部(21)は接地されており、前記制御回路は、前記プルアップされた信号線から入力される信号に基づいて、ワイヤー(２)の切断を検知する請求項８に記載のタグ装置。
【請求項１０】
前記制御回路は、警報動作中に警報解除信号を受信したとき、又は警報動作が所定時間だけ継続したとき、ブザー(８)に対して鳴動停止指令を発する請求項８又は請求項９に記載のタグ装置。
【請求項１１】
前記制御回路は、ロックピン(22)がラッチ部材(３)によってロックされた状態で、警報作動信号を受信したとき、又はワイヤー(２)が切断されたことを検知したとき、その事態を報知する警報報知信号を無線で発する請求項３乃至請求項１０の何れかに記載のタグ装置。
【発明の詳細な説明】
【０００１】
【発明の属する技術分野】
本発明は、鞄等の物品に取り付けて、物品の盗難や、所定の監視区域からの不正な持ち出しを防止するためのタグ装置に関するものである。
【０００２】
【従来の技術】
従来、この種のタグ装置として、タグ本体にワイヤーの基端部を固定すると共に、該ワイヤーの先端部に取り付けたロックピンをタグ本体に対してロック及びロック解除可能に連結してなるものが知られている。該タグ装置は、ロックピンのロックを解除して、ワイヤーを物品に巻き付けた後、ロックピンをタグ本体にロックすることにより、物品に取り付ける。
この様にしてタグ装置が取り付けられた物品を所定の監視区域(例えば店内)から外部へ持ち出さんとすると、出入口ゲートから発せられる電波(警報作動信号)をタグ装置が受信し、これによってタグ本体のブザーが鳴動し、盗難の発生を報知する。又、物品に取り付けられたタグ装置のワイヤーを切断して、物品だけを監視区域から持ち出さんとすると、タグ本体によってワイヤーの切断が検知され、これによってタグ本体のブザーが鳴動し、盗難の発生を報知する。
【０００３】
【発明が解決しようとする課題】
ところで、従来のタグ装置においては、ワイヤーの先端部に取り付けられたロックピンをタグ本体にロックする機構として、ロック時には、タグ本体に配備した金属製のラッチ部材にロックピンを押し込むことによって、ラッチ部材をロックピンに係合させ、ロックを解除するときには、ロック解除部材を用いてラッチ部材を弾性変形させることにより、ラッチ部材のロックピンに対する係合を開放する構成が採用されている。
従って、ラッチ部材によるロックピンのロックを確実なものとするためには、ラッチ部材のロックピンに対する係合部の剛性(弾性変形困難性)を出来るだけ高く設定して、衝撃力などの作用によって容易に弾性変形が生じない構造とする必要がある。
【０００４】
しかしながら、ラッチ部材のロックピンに対する係合部の剛性を高く設定することによって、ロック解除部材を用いたロック解除操作に大きな力が必要となり、操作性が悪化する問題が生じる。仮にロック解除部材をソレノイド等によって駆動することとしたとしても、大きな電力が必要となる問題が生じる。
然も、ラッチ部材のロックピンに対する係合部の剛性を高くすれば高くする程、係合状態における弾性反発力が大きくなり、該弾性反発力はロックを解除する方向に作用するので、僅かな衝撃力の作用でロックが外れる虞がある。
【０００５】
そこで本発明の目的は、確実なロック状態を実現することが出来ると共に、容易にロックを解除することが出来るタグ装置を提供することである。
【０００６】
【課題を解決する為の手段】
本発明に係るタグ装置は、タグ本体(10)に対し、ワイヤー(２)の基端部(21)を固定すると共に、該ワイヤー(２)の先端部(23)にロックピン(22)を取り付けて構成される。ロックピン(22)は、細軸部(25)の先端部に太軸部(26)を具えている。タグ本体(10)は、ロックピン(22)が通過可能なピン挿入孔(13)を有するケース(１)と、ケース(１)の内部に配備されて前記ピン挿入孔(13)から挿入されたロックピン(22)と係合すべきラッチ部材(３)とを具えている。
ラッチ部材(３)は、ケース(１)の内部にロックピン(22)の挿入方向とは直交する方向に往復移動可能に支持された本体(31)と、該本体(31)に突設されてロックピン(22)の挿入方向に対して交差する方向に弾性変位可能なバネ片(32)とを具え、ラッチ部材(３)は、一方の移動端にてバネ片(32)が挿入位置のロックピン(22)の細軸部(25)に対向して太軸部(26)の抜け方向の移動を阻止し、他方の移動端にてバネ片(32)が挿入位置のロックピン(22)の細軸部(25)から離間して太軸部(26)の抜け方向の移動を許容する。
【０００７】
上記本発明のタグ装置においては、ラッチ部材(３)を前記一方の移動端に移動させた状態で、ロックピン(22)をタグ本体(10)のピン挿入孔(13)からラッチ部材(３)へ押し込むことにより、ロックピン(22)の太軸部(26)がラッチ部材(３)のバネ片(32)を通過して、細軸部(25)がバネ片(32)との対向位置に達する。この過程で、ラッチ部材(３)のバネ片(32)は、太軸部(26)の外周面と摺接して弾性変形した後、細軸部(25)の外周面に対向して弾性復帰し、細軸部(25)の外周面に接近した位置にて、太軸部(26)の抜け方向の移動を阻止することとなる(ロック状態)。従って、タグ本体(10)からロックピン(22)を引き抜く方向に外力が作用したとしても、ロックピン(22)の太軸部(26)がラッチ部材(３)のバネ片(32)によって受け止められ、ロックピン(22)の引き抜きが阻止される。
【０００８】
正当な操作によってロックピン(22)をタグ本体(10)から取り外す場合は、ラッチ部材(３)を前記他方の移動端に移動させた後、ロックピン(22)をタグ本体(10)から引き抜けばよい。ラッチ部材(３)の移動によって、バネ片(32)はロックピン(22)の細軸部(25)から離間して太軸部(26)の抜け方向の移動を許容するので、ロックピン(22)の太軸部(26)はラッチ部材(３)のバネ片(32)によって阻止されることなく移動し、タグ本体(10)のピン挿入孔(13)から抜け出すことになる。
尚、ラッチ部材(３)のロック位置とロック解除位置の間の移動には、ラッチ部材(３)が周囲の部材から受ける僅かな摩擦抵抗が作用するに過ぎないので、ラッチ部材(３)の往復駆動に大きな力は不要である。
【０００９】
具体的構成において、ロックピン(22)の太軸部(26)の先端部には、ロックピン(22)の侵入に伴ってラッチ部材(３)のバネ片(32)を押圧して弾性変位させるためのテーパ面(27)が形成されている。
従って、ロックピン(22)をラッチ部材(３)に対して押し込む過程で、ロックピン(22)のテーパ面(27)が、ラッチ部材(３)のバネ片(32)を押圧して弾性変位させ、これによって、ロックピン(22)の太軸部(26)がラッチ部材(３)のバネ片(32)と摺接した状態へ移行する。
【００１０】
又、具体的構成において、タグ本体(10)には、ロッド(51)の吸引／開放動作によってラッチ部材(３)を往復駆動するためのソレノイド(５)と、該ソレノイド(５)の動作を制御する制御回路とが内蔵されている。
該具体的構成によれば、ソレノイド(５)のロッド(51)の吸引／開放動作によって、ラッチ部材(３)をロック位置とロック開放位置の間で往復移動させることが出来る。
【００１１】
ここで、ソレノイド(５)は、ラッチ部材(３)をロックピン(22)に対するロック位置に移動させたロック動作状態を、例えば内蔵せる永久磁石の磁力によって、無通電で保持するものである。
従って、ラッチ部材(３)をロック位置に保持するために電力は不要であり、これによって消費電力の節減を図ることが出来る。
【００１２】
又、ソレノイド(５)は、ロッド(51)を前記ロック動作状態からロック解除動作状態へ向けて付勢するばね(53)を具えている。
従って、ラッチ部材(３)をロック位置からロック解除位置へ移動させるために必要な力の一部が、ばね(53)の弾性復帰力によって賄われる。
【００１３】
他の具体的構成において、タグ本体(10)には、ラッチ部材(３)がロックピン(22)をロックしたロック位置からロックピン(22)のロックを解除したロック解除位置へ移動したことを検知するためのスイッチ(６)が配備され、前記制御回路は、スイッチ(６)の検知信号に基づいてロック解除動作状態を検知したとき、ソレノイド(５)にロック動作を指令する。
従って、ロック位置のラッチ部材(３)やソレノイド(５)に例えば大きな衝撃力が加わることによって、ソレノイド(５)のロッド(51)がロック解除動作状態まで移動し、ロックが解除されたとしても、この事態がスイッチ(６)によって検知され、直ぐにソレノイド(５)にロック動作が指令されるので、ロック解除の直後にラッチ部材(３)はロック位置まで駆動され、ロック状態が再設定される。
【００１４】
又、他の具体的構成において前記制御回路は、ロック解除信号の受信に応じて、一定時間だけソレノイド(５)をロック解除動作状態に保持する。
従って、正当な操作によってロックピン(22)をタグ本体(10)から取り外す場合は、タグ本体(10)にロック解除信号を送信した後、前記一定時間が経過するまでに、ロックピン(22)をタグ本体(10)から引き抜けばよい。
【００１５】
又、他の具体的構成において、タグ本体(10)にはブザー(８)が内蔵され、前記制御回路は、ロックピン(22)がラッチ部材(３)によってロックされた状態で、警報作動信号を受信したとき、又はワイヤー(２)が切断されたことを検知したとき、ブザー(８)に対して鳴動指令を発する。
該具体的構成によれば、ブザー(８)の鳴動によって不正行為が報知される。
【００１６】
又、他の具体的構成において、前記制御回路は、警報動作中に警報解除信号を受信したとき、又は警報動作が所定時間だけ継続したとき、ブザー(８)に対して鳴動停止指令を発する。
該具体的構成によれば、警報動作中にタグ本体(10)へ警報解除信号を送信することによって、或いは警報動作を所定時間だけ継続させることによって、ブザー(８)の鳴動が停止する。
【００１７】
更に他の具体的構成において、前記制御回路は、ロックピン(22)がラッチ部材(３)によってロックされた状態で、警報作動信号を受信したとき、又はワイヤー(２)が切断されたことを検知したとき、その事態を報知する警報報知信号を無線で発する。
該具体的構成によれば、例えば監視室において警報報知信号の受信を監視することによって、不正行為を発見することが出来る。
【００１８】
【発明の効果】
本発明に係るタグ装置によれば、ラッチ部材(３)のバネ片(32)をロックピン(22)に深く係合させるロック構造の採用によって、確実なロック状態を実現することが出来ると共に、ラッチ部材(３)をロックピン(22)から離間させるロック解除構造の採用によって、ロック解除操作の容易化が図られる。
【００１９】
【発明の実施の形態】
以下、本発明の実施の形態につき、図面に沿って具体的に説明する。
本発明に係るタグ装置は、図１に示す如く、タグ本体(10)にワイヤー(２)の基端部(21)を固定すると共に、該ワイヤー(２)の先端部(23)にロックピン(22)を取り付けて構成されている。
タグ本体(10)は、一面が開口したケース本体(11)の開口部に蓋体(12)を被せて直方体状のケース(１)を構成しており、ケース本体(11)の上壁には、ロックピン(22)を挿入するためのピン挿入孔(13)が開設されている。
【００２０】
図２の如くワイヤー(２)を物品Ａに巻き付けて、ロックピン(22)をピン挿入孔(13)からタグ本体(10)内へ押し込むことによって、ロックピン(22)はタグ本体(10)にロックされ、物品Ａにタグ装置が取り付けられることになる。
この状態で、タグ装置が取り付けられた物品Ａを不正に所定の監視区域(例えば店内)から外部へ持ち出さんとすると、出入口ゲートから発せられる電波(警報作動信号)をタグ本体(10)が受信し、これによってタグ本体(10)に内蔵されているブザー(図示省略)が鳴動し、盗難の発生を報知する。又、物品Ａに取り付けられたタグ装置のワイヤー(２)を切断して、物品Ａだけを不正に監視区域から持ち出さんとすると、タグ本体(10)によってワイヤー(２)の切断が検知され、これによってタグ本体(10)のブザーが鳴動し、盗難の発生を報知する。
【００２１】
監視係員がタグ装置の警報動作を停止させたり、ロックピン(22)のロックを解除する際には、タグ制御ユニットを操作する。タグ装置は、後述の如く、タグ制御ユニットから無線で送られてくる警報解除信号或いはロック解除信号を受信して、警報動作の停止或いはロックピン(22)のロック解除動作を行なう。
【００２２】
本発明に係るタグ装置において、ロックピン(22)は金属の一体成型品であって、図３に示す如く、それぞれ円柱状の第１太軸部(24)、細軸部(25)及び第２太軸部(26)を同軸上に具え、第２太軸部(26)の先端部にはテーパ面(27)が形成されている。
【００２３】
タグ本体(10)のケース(１)の内部には、ピン挿入孔(13)の奥方に、樹脂製のフレーム(14)がケース(１)と一体成型されており、該フレーム(14)には、水平の第１ガイド壁(15)と第２ガイド壁(16)が形成されて、両ガイド壁(15)(16)の間に、金属板をプレス成型してなるラッチ部材(３)が適度な遊びをもって収容され、水平方向へ往復移動可能に支持されている。
尚、図５に示す如く、第１ガイド壁(15)及び第２ガイド壁(16)にはそれぞれ、ロックピン(22)の第２太軸部(26)を通過させることが可能な円形の第１貫通孔(17)及び第２貫通孔(18)が開設されている
【００２４】
ラッチ部材(３)は、図４に示す如く、水平壁部(31a)の両側部に垂直壁部(31b)(31b)を下向きに突設してなる本体(31)と、該本体(31)の両垂直壁部(31b)(31b)の一方の端部から内向きに屈曲して他方の端部へ向けて水平方向に伸びる一対のバネ片(32)(32)とから構成され、本体(31)には、後述するレバー(４)の上端部が嵌合すべきスリット(33)と、ロックピン(22)が貫通可能なＵ字状切欠き(30)とが開設され、一対のバネ片(32)(32)は、ロックピン(22)の第２太軸部(26)の直径よりも小さい間隔を有して、その先端部が本体(31)のＵ字状切欠き(30)の内側へ臨出している。
【００２５】
従って、ロックピン(22)をラッチ部材(３)に押し込む過程で、先ずロックピン(22)の第２太軸部(26)がラッチ部材(３)のＵ字状切欠き(30)に貫入し、第２太軸部(26)のテーパ面(27)が両バネ片(32)(32)に摺接する。更にロックピン(22)を押し込むことによって、テーパ面(27)が両バネ片(32)(32)を押し開き、第２太軸部(26)が両バネ片(32)(32)に摺接する。そして、更にロックピン(22)を押し込むと、第２太軸部(26)が両バネ片(32)(32)を通過し、細軸部(25)が両バネ片(32)(32)と対向することになる。これによって、両バネ片(32)(32)は互いに接近する方向に弾性復帰して、細軸部(25)を両側から挟み込む。この結果、両バネ片(32)(32)は、第２太軸部(26)の端面(26a)を受け止めることによって、第２太軸部(26)の抜け方向の移動を阻止する。
【００２６】
ラッチ部材(３)には、図３に示す如く、ケース本体(11)の側壁に沿って垂直に伸びるレバー(４)の上端部が連結され、該レバー(４)の下端部には、ケース本体(11)に固定されたソレノイド(５)のロッド(51)の先端部が連結されている。
従って、ソレノイド(５)のロッド(51)を吸引／開放動作させることにより、ラッチ部材(３)を水平方向に往復移動させることが出来る。
【００２７】
ソレノイド(５)は、内蔵せる永久磁石(図示省略)の磁力によってロッド(51)を吸引位置に保持する自己保持型のソレノイドであって、ロッド(51)の中間位置には鍔(52)が取り付けられ、該鍔(52)とソレノイド本体との間にコイルばね(53)を介在させている。
該ソレノイド(５)は、通電の極性を切り換えることによって、コイルばね(53)に抗してロッド(51)を解放位置から吸引位置に移動させる吸引動作と、前記磁力に抗してロッド(51)を吸引位置から解放位置に移動させる解放動作とを切り換えることが出来る。
【００２８】
ケース(１)の内部には回路基板(７)が設置されており、該回路基板(７)には、ブザー(８)が搭載されると共に、ソレノイド(５)の吸引／解放動作やブザー(８)の警報動作等を制御するための電子回路が装備されている。又、ケース(１)の内部には、ソレノイド(５)や電子回路の電源となる乾電池を装填するための電池室(19)が形成されている。
【００２９】
又、ケース(１)の内部には、レバー(４)の基端部に向かって突出する作動片(61)を具えたスイッチ(６)が配備されており、該スイッチ(６)によって、ソレノイド(５)の２つの動作状態、即ちソレノイド(５)のロッド(51)が吸引動作を行なってラッチ部材(３)がロックピン(22)をロックしたロック動作状態と、ソレノイド(５)のロッド(51)が解放動作を行なってラッチ部材(３)がロックピン(22)のロックを解除したロック解除動作状態が検知される。
【００３０】
更にケース(１)の内部には、フレーム(14)の底部に、上端部が二股に分かれた金属製のコネクターピン(９)が取り付けられており、該コネクターピン(９)の基端部は、後述する様に、回路基板(７)中のプルアップされた信号線を介してマイクロコンピュータの入力ポートに接続されている。
ロックピン(22)がラッチ部材(３)へ押し込まれると、該ロックピン(22)の第２太軸部(26)がコネクターピン(９)の二股の上端部によって挟持され、これによってロックピン(22)がコネクターピン(９)を介して電気的に接地される。
【００３１】
図９は、上記タグ本体(10)の回路基板(７)に形成されている電子回路の構成を表わしており、外部から無線で送られてくる警報作動信号、警報解除信号及びロック解除信号を受信するための受信アンテナ(71)を具えた受信回路(72)と、受信した信号に基づいて各種の制御動作を実行するマイクロコンピュータ(73)と、マイクロコンピュータ(73)からの制御信号に応じてブザー(８)を駆動すると共に送信アンテナ(75)から警報報知信号を送信する警報回路(74)と、マイクロコンピュータ(73)からの制御信号に応じてソレノイド(５)を駆動するソレノイド駆動回路(76)とを具えている。
【００３２】
ワイヤー(２)の基端部(21)は電気的に接地されており、ロックピン(22)がラッチ部材(３)へ押し込まれると、該ロックピン(22)の第２太軸部(26)がコネクターピン(９)の二股の上端部によって挟持され、これによってワイヤー(２)の先端部(23)は、プリアップ抵抗が接続された信号線(77)を介して、マイクロコンピュータ(73)の入力ポートに接続され、マイクロコンピュータ(73)の入力ポートはワイヤー(９)を介して接地される。従って、ロックピン(22)をタグ本体(10)に押し込んでロックすると、マイクロコンピュータ(73)へ入力される信号がハイからローに切り替わって、ロックピン(22)のロック状態、即ちワイヤー(２)のクローズ状態が検知される。又、不正行為によってワイヤー(２)が切断されると、マイクロコンピュータ(73)へ入力される信号がローからハイに切り替わって、不正行為が検知される。
【００３３】
又、スイッチ(６)の一端は、プルアップ抵抗が接続された信号線(78)を介して、マイクロコンピュータ(73)に接続されており、スイッチ(６)の他端は接地されている。従って、ソレノイド(５)のロッド(51)がロック位置からロック解除位置へ移動して、スイッチ(６)がオンからオフに切り替わると、マイクロコンピュータ(73)へ入力される信号がローからハイに切り替わって、ソレノイド(５)のロック解除位置への移動が検知される。
【００３４】
図１０及び図１１は、マイクロコンピュータ(73)の制御動作を表わしている。又、図１２は、該制御動作中に一定周期で実行される割込処理を表わしており、前記スイッチ(６)がオフであることを条件としてステップＳ２０が実行され、ソレノイドの吸引動作(ロック動作)が指令される。
【００３５】
先ず図１０のステップＳ１にて割込を許可した後、ステップＳ２にて、ワイヤーがクローズ状態であるかどうかを判断し、イエスと判断されたとき、ステップＳ３に移行して、警報作動信号を受信したかどうか、或いはワイヤーがオープン状態になったかどうかを判断する。ここで、タグ装置が物品と共に監視区域から持ち出されようとした場合は、出入口ゲートから送信されてくる警報作動信号を受信することになり、イエスと判断される。又、ワイヤーが切断されたときもイエスと判断される。
【００３６】
ステップＳ３にてイエスと判断されたときは、ステップＳ４に移行して、警報動作、即ちブザー(８)の鳴動と警報報知信号の送信を開始する。その後、ステップＳ５にて、警報解除信号を受信したかどうかを判断し、ここでノーと判断されたときは、ステップＳ６に移行して、警報動作が所定時間(例えば５分間)だけ継続されたかどうかを判断し、ここでノーと判断されたときはステップＳ５に戻る。これによって、警報動作が継続されることになる。
【００３７】
その後、ステップＳ５にてイエスと判断され、或いはステップＳ６にてイエスと判断されたときは、ステップＳ７に移行して、警報動作を停止し、ステップＳ２へ戻る。
【００３８】
一方、ステップＳ３にてノーと判断されたときは、図１１のステップＳ８へ移行し、ロック解除信号を受信したかどうかを判断し、ここでノーと判断されたときは、図１０のステップＳ２に戻る。これに対し、イエスと判断されたときは、図１１のステップＳ９へ移行して、割込を不許可とする。次にステップＳ１０にて、ソレノイドに解放動作(ロック解除動作)を指令した後、ステップＳ１１にて３秒間のタイマーを設定する。続いて、ステップＳ１２にてソレノイドに吸引動作(ロック動作)を指令した後、図１０のステップＳ１に戻る。
【００３９】
図５〜図８は、上記タグ装置の一連の動作を表わしている。
図５においては、タグ本体(10)からロックピン(22)が取り外されており、ソレノイド(５)は吸引動作を行なって、ラッチ部材(３)は右方の移動端であるロック位置に保持されている。この状態で、ソレノイド(５)は通電されておらず、前記磁力によってロッド(51)が吸引位置に保持されている。又、スイッチ(６)は作動片(61)がレバー(４)によって押圧されて、オンの状態となっている。
【００４０】
ロックピン(22)を矢印の如くタグ本体(10)のピン挿入孔(13)へ向けて降下させ、フレーム(14)の内部へ押し込むことによって、図６の如く、ロックピン(22)の第２太軸部(26)は、フレーム(14)の第１貫通孔(17)を通過して第２貫通孔(18)を貫通し、ラッチ部材(３)のバネ片(32)よりも下方の位置に達しており、コネクターピン(９)に係合している。
この状態で、ラッチ部材(３)の一対のバネ片(32)(32)は、ロックピン(22)の細軸部(25)と対向して弾性復帰し、ロックピン(22)の第２太軸部(26)に対して抜け止めを施している。
従って、タグ本体(10)から物品を取り外さんとしてロックピン(22)を引き抜こうとしても、ロックピン(22)の第２太軸部(26)がラッチ部材(３)のバネ片(32)(32)によって受け止められ、引き抜き操作が阻止される。
【００４１】
この状態で、監視係員がロックピン(22)のロックを解除せんとするときには、タグ制御ユニットを操作して、タグ本体(10)に対してロック解除信号を送信する。ロック解除信号は、図９に示す受信回路(72)によって受信され、この結果、ソレノイド(５)は開放動作を行なう。これによって、図７に矢印で示す様にソレノイド(５)のロッド(51)が突出し、ラッチ部材(３)をフレーム(14)から離間させる方向(左方)へ移動させる。この結果、ラッチ部材(３)のバネ片(32)(32)はロックピン(22)から離脱して、左方の移動端であるロック解除位置に達し、ロックピン(22)のロックを解除する。又、レバー(４)がスイッチ(６)の作動片(61)から離間して、スイッチ(６)をオフとする。
尚、ラッチ部材(３)を移動させるのに必要な動力は、ラッチ部材(３)とフレーム(14)の間に生じる摩擦抵抗だけであって、その大きさは極く小さい。
【００４２】
監視係員は、タグ本体(10)に対してロック解除信号を送信した後、３秒間が経過するまでに、図８に矢印で示す如くロックピン(22)をタグ本体(10)から引く抜く。この際、ラッチ部材(３)のバネ片(32)(32)はロックピン(22)から離脱しているので、ロックピン(22)の移動を妨げるものはなく、容易に引き抜きを行なうことが出来る。
ソレノイド(５)の開放動作後、３秒間が経過すると、ソレノイド(５)が吸引動作を行なって、図５に示す状態に戻ることになる。
【００４３】
図６に示す如くロックピン(22)がタグ本体(10)にロックされている状態で、衝撃力の作用などによってソレノイド(５)のロッド(51)が図７に示す様に突出し、ロックピン(22)のロックが解除されたとしても、スイッチ(６)がオンからオフに切り替わることにより、前述の割込処理が実行されて、ソレノイド(５)は吸引動作を行ない、図６の如くロックピン(22)がタグ本体(10)に再びロックされことになる。従って、ロック解除の状態は一瞬であり、タグ本体(10)からロックピン(22)が外れる虞れはないので、安全である。
【００４４】
図６に示す如くロックピン(22)がタグ本体(10)にロックされている状態で、不正行為によってワイヤー(２)が切断されたときは、図９に示すワイヤー(２)からマイクロコンピュータ(73)へ入力される信号がローからハイになることによって、不正行為が検知されて、その事態が報知される。
又、図６に示す如くロックピン(22)がタグ本体(10)にロックされて、タグ本体(10)が物品に取り付けられている状態で、物品と共にタグ本体(10)を監視区域から外部へ持ちださんとすると、出入口ゲートから発せられる警報作動信号を図９に示す受信回路(72)が受信し、この結果、ブザー(８)が鳴動して、不正行為が報知される。
【００４５】
監視係員がブザー(８)の鳴動を停止させんとするときには、タグ制御ユニットを操作して、タグ本体(10)に対して警報解除信号を送信する。この結果、ブザー(８)の鳴動が停止することになる。
【００４６】
上述のタグ装置によれば、ロックピン(22)のロック状態で、ロックピン(22)に対して大きな引き抜き力が作用したとしても、図４に示すラッチ部材(３)の一対のバネ片(32)(32)がロックピン(22)に深く係合しており、第２太軸部(26)の端面(26a)を確実に受け止めるので、ロックが外れることはない。
【００４７】
又、ラッチ部材(３)を往復移動させる過程で受ける抵抗は、タグ本体(10)のフレーム(14)から受ける極く小さな摩擦抵抗だけであり、ロックピン(22)から抵抗を受けることはないので、ソレノイド(５)を駆動するために大きな電力は不要である。然も、図６の如くロックピン(22)をロックした状態を維持するためにソレノイド(５)に通電する必要はない。従って、仮に小容量の乾電池を電源とした場合においても、長い寿命が得られる。
【００４８】
更に又、図６に示す如くロックピン(22)に接触してロックピン(22)をマイクロコンピュータ(73)の入力ポートに接続するためのコネクターピン(９)は、ロック状態のロックピン(22)の第２太軸部(26)を挟持する二股構造を有しているので、ロックピン(22)を上方へ押し上げる力、即ちロックピン(22)のロックを解除する力を発揮することはない。この結果、より確実なロック状態を実現することが出来る。
【図面の簡単な説明】
【図１】本発明に係るタグ装置の斜視図である。
【図２】該タグ装置を物品に取り付けた状態を示す斜視図である。
【図３】該タグ装置の一部破断斜視図である。
【図４】ラッチ部材とロックピンの拡大斜視図である。
【図５】ロックピンがタグ本体から離脱している状態の要部構造を示す一部破断正面図である。
【図６】ロックピンをタグ本体にロックした状態の要部構造を示す一部破断正面図である。
【図７】ソレノイドを開放動作させた状態の要部構造を示す一部破断正面図である。
【図８】ロックピンをタグ本体から抜き出した状態の要部構造を示す一部破断正面図である。
【図９】該タグ装置の回路構成を示すブロック図である。
【図１０】該タグ装置の制御手続きの前半を表わすフローチャートである。
【図１１】該制御手続きの後半を表わすフローチャートである。
【図１２】該制御手続き中に実行される割込処理を表わすフローチャートである。
【符号の説明】
(１)  ケース
(10)  タグ本体
(13)  ピン挿入孔
(14)  フレーム
(２)  ワイヤー
(21)  基端部
(22)  ロックピン
(23)  先端部
(24)  第１太軸部
(25)  細軸部
(26)  第２太軸部
(３)  ラッチ部材
(31)  本体
(32)  バネ片
(４)  レバー
(５)  ソレノイド
(51)  ロッド
(６)  スイッチ
(７)  回路基板
(８)  ブザー
【図１】
0003831629.tif 000002
【図２】
0003831629.tif 000003
【図３】
0003831629.tif 000004
【図４】
0003831629.tif 000005
【図５】
0003831629.tif 000006
【図６】
0003831629.tif 000007
【図７】
0003831629.tif 000008
【図８】
0003831629.tif 000009
【図９】
0003831629.tif 000010
【図１０】
0003831629.tif 000011
【図１１】
0003831629.tif 000012
【図１２】
0003831629.tif 000013